(57)【要約】      （修正有）【課題】画像の部分領域を切り出して保存する場合に、どの画像を原画像として切り出したかを明らかにするために必要な対応を、従来に比して簡便に行うことができる医用画像処理装置を提供する。【解決手段】医用画像処理装置１は、生成部１０２と付帯部１０３とを含む。生成部は、第１の医用画像から関心領域に関する第２の医用画像を切り出す。付帯部は、前記第１の医用画像に付帯された再構成マトリクス情報を前記第２の医用画像に付帯する。【選択図】図１
2018108362.tif 000002
【特許請求の範囲】
【請求項１】
第１の医用画像から関心領域に関する第２の医用画像を切り出す生成部と、
前記第１の医用画像に付帯された再構成マトリクス情報を前記第２の医用画像に付帯する付帯部と、
を具備する医用画像処理装置。
【請求項２】
前記第２の医用画像と共に前記再構成マトリクス情報を表示する表示制御部をさらに具備する請求項１に記載の医用画像処理装置。
【請求項３】
前記表示制御部は、前記第２の医用画像の画像マトリクス情報をさらに表示する請求項２に記載の医用画像処理装置。
【請求項４】
前記第１の医用画像および当該第１の医用画像に付帯する付帯情報と、前記第２の医用画像および当該第２の医用画像に付帯する付帯情報と、を記憶する記憶部をさらに具備し、
前記付帯情報は、前記画像マトリクス情報および前記再構成マトリクス情報に関する情報を含む請求項１から請求項３のいずれか１項に記載の医用画像処理装置。
【請求項５】
保存可能な画像マトリクスのサイズを複数の外部サーバそれぞれについて示すテーブルと、
前記複数の外部サーバのうち、所定の外部サーバへの画像の転送指示があった場合、前記テーブルを参照して当該画像が保存可能か否かを判定し、当該画像が保存不可である場合、前記第２の医用画像を生成する処理の実行を促すメッセージを通知する通知部と、
をさらに具備する請求項１から請求項３のいずれか１項に記載の医用画像処理装置。
【請求項６】
再構成マトリクス情報は、前記第１の医用画像の画像マトリクス情報を示す情報である請求項１記載の医用画像処理装置。
【請求項７】
第１の医用画像を撮像する撮像部と、
前記第１の医用画像から関心領域に関する第２の医用画像を切り出す生成部と、
前記第１の医用画像に付帯された再構成マトリクス情報を前記第２の医用画像に付帯する付帯部と、
を具備する医用画像撮像装置。
【請求項８】
第１の医用画像から関心領域に関する第２の医用画像を切り出す生成部と、
前記第１の医用画像に付帯された再構成マトリクス情報を前記第２の医用画像に付帯する付帯部と、
前記再構成マトリクス情報が付帯された前記第２の医用画像を記憶する記憶部と、
を具備する画像保管装置。
【発明の詳細な説明】
【技術分野】
【０００１】
本発明の実施形態は、医用画像処理装置、医用画像撮像装置および画像保管装置に関わるものである。
【背景技術】
【０００２】
ＣＴ画像、ＭＲＩ画像などの医用画像の断層画像においては、５１２×５１２ピクセルの画像マトリクスのサイズを有する断層画像を標準としている。近年、医用画像の高解像度化に伴い、１０２４×１０２４ピクセルまたは２０４８×２０４８ピクセルといった画像マトリクスのサイズを有する高解像度の断層画像を得られるようになっている。
【先行技術文献】
【特許文献】
【０００３】
【特許文献１】特開２００７−２７５１２５号公報
【発明の概要】
【発明が解決しようとする課題】
【０００４】
従前、このような高解像度化が想定されていないため、ＰＡＣＳ（Picture Archiving and Communication System）の容量などの関係から、１０２４×１０２４ピクセルで運用できず、保管用の画像として５１２×５１２ピクセルの画像マトリクス情報を有する画像しか保存できない可能性がある。そこで、高解像度の画像を５１２×５１２ピクセルの画像に圧縮する方法もあるが、解像度が犠牲になってしまう。そこで、１０２４×１０２４ピクセルまたは２０４８×２０４８ピクセルの画像マトリクス情報から５１２ピクセル×５１２ピクセルの画像マトリクス情報で部分領域を切り出して保存する必要がある。この場合、どの画像を原画像として切り出したかが不明となる問題がある。
【０００５】
本実施形態の目的は、従来に比して必要な対応を簡便に行うことができる医用画像処理装置を提供することにある。
【課題を解決するための手段】
【０００６】
本実施形態に係る医用画像処理装置は、生成部および付帯部を含む。生成部は、第１の医用画像から関心領域に関する第２の医用画像を切り出す。付帯部は、前記第１の医用画像に付帯された再構成マトリクス情報を前記第２の医用画像に付帯する。
【０００７】
本実施形態に係る医用画像撮像装置は、撮像部、生成部および付帯部を含む。撮像部は、第１の医用画像を撮像する。生成部は、前記第１の医用画像から関心領域に関する第２の医用画像を切り出す。付帯部は、前記第１の医用画像に付帯された再構成マトリクス情報を前記第２の医用画像に付帯する。
【図面の簡単な説明】
【０００８】
【図１】第１の実施形態に係る医用画像処理装置の構成を示すブロック図。
【図２】第１の実施形態に係る医用画像処理装置の動作を示すフローチャート。
【図３】選択画面の一例を示す図。
【図４】切り出し処理の詳細を示す図。
【図５】画像表示インタフェース画面の一例を示す図。
【図６】原画像と関心領域画像とを並列表示させた例を示す図。
【図７】切り出した領域の画像を保存する例を示す図。
【図８】第２の実施形態の概念図。
【図９】第２の実施形態に係る医用画像処理装置の構成を示すブロック図。
【図１０】対応テーブルの一例を示す図。
【図１１】第２の実施形態に係る医用画像処理装置の動作を示すフローチャート。
【図１２】第３の実施形態に係る医用画像処理装置を含むＸ線ＣＴ装置を示す図。
【図１３】第４の実施形態に係る画像保管装置を示すブロック図。
【発明を実施するための形態】
【０００９】
以下、図面を参照しながら本実施形態に係わる医用画像処理装置、医用画像撮像装置および医用画像処理プログラムについて説明する。以下の実施形態では、同一の参照符号を付した部分は同様の動作をおこなうものとして、重複する説明を適宜省略する。
【００１０】
（第１の実施形態）
第１の実施形態に係る医用画像処理装置を図１のブロック図を参照して説明する。
医用画像処理装置１は、記憶回路１０１、処理回路１１０及び表示回路１０５を含む。また、信号のやりとりは、バス１０を介して行われる。
【００１１】
記憶回路１０１は、例えばメモリであり、画像データを記憶する。画像データは、ここでは、ＤＩＣＯＭ（digital imaging and communication in medicine）規格のデータ形式を想定し、医用画像、医用画像に付帯される付帯情報、および後述する関心領域画像（第２の医用画像）を含む。付帯情報は、画像マトリクス情報と再構成マトリクス情報とに関する情報を含む。画像マトリクス情報は、医用画像の画像マトリクスのサイズを示す。再構成マトリクス情報は、関心領域画像の基礎となる画像（原画像または第１の医用画像）の画像マトリクス情報を示し、段階的に複数回切り出されて関心領域画像が生成される場合は、大本となる医用画像の画像マトリクス情報を示す。原画像の場合、画像マトリクス情報と再構成マトリクス情報とは等しくなる。
【００１２】
処理回路１１０は、例えばプロセッサであり、生成機能１０２、付帯機能１０３及び表示制御機能１０４を実行する。
生成機能１０２は、記憶回路１０１に格納される画像データを参照し、原画像から関心領域を切り出し、関心領域画像を生成する。
【００１３】
付帯機能１０３は、生成機能１０２により生成された関心領域画像に対し、原画像に付帯される付帯情報を付帯する。ここでは、少なくとも再構成マトリクス情報に関する情報を付帯する。
【００１４】
表示制御機能１０４は、インタフェース画面を表示回路１０５に表示させ、医用画像、付帯情報および関心領域画像の表示を制御する。表示制御機能１０４は、ユーザからの指示に応じて、医用画像、付帯情報および関心領域画像の表示態様を制御する。なお、表示制御機能１０４は、医用画像、付帯情報および関心領域画像を、ネットワーク等を介して接続される外部の表示機器に表示してもよい。
【００１５】
表示回路１０５は、例えばディスプレイであり、医用画像、付帯情報および関心領域画像を表示する。
【００１６】
第１の実施形態に係る医用画像処理装置１の動作例について図２のフローチャートを参照して説明する。
【００１７】
ステップＳ２０１では、表示制御機能１０４が、医用画像を選択するための選択画面を表示回路１０５に表示する。選択画面には、医用画像と付帯情報とが少なくとも表示される。
ステップＳ２０２では、ユーザが切り出し処理を実行したい医用画像を選択し、生成機能１０２が選択結果を取得する。
ステップＳ２０３では、生成機能１０２が、選択結果に応じて、ユーザにより選択された医用画像を原画像として原画像からの切り出し処理を行い、関心領域画像を生成する。
【００１８】
ステップＳ２０４では、付帯機能１０３が、関心領域画像に対して、関心領域画像の画像マトリクス情報と、原画像の再構成マトリクス情報とを付帯する。なお、原画像の画像マトリクス情報も併せて付帯されてもよい。
ステップＳ２０５では、記憶回路１０１が、関心領域画像と、付帯された画像マトリクス情報と再構成マトリクス情報とを格納する。
ステップＳ２０６では、表示制御機能１０４が、関心領域画像を表示する際に、関心領域画像の画像マトリクス情報と、ステップＳ２０３で付帯された再構成マトリクス情報とを併せて表示する。
【００１９】
次に、表示回路１０５に表示される選択画面の一例について図３を参照して説明する。
図３は医用画像の選択画面に関するインタフェース画面である。スタディ情報表示ウィンドウ３０１、シリーズ情報表示ウィンドウ３０２、およびイメージ情報表示ウィンドウ３０３の各表示ウィンドウを有する。イメージ情報表示ウィンドウ３０３には、医用画像と、スキャン時刻、識別番号、開始位置／終了位置などの情報に加え、画像マトリクス情報３０４および再構成マトリクス情報３０５がそれぞれ対応付けられて表示される。
【００２０】
なお、関心領域画像が生成された場合、原画像とは別のシリーズ情報として記憶回路１０１に記憶される。具体的には、関心領域画像のシリーズ情報は、原画像に関するシリーズ情報の直下に別のシリーズ情報として記憶される。
【００２１】
次に、ステップＳ２０３における切り出し処理の詳細について図４を参照して説明する。
図４は、切り出し処理に関するインタフェース画面である。ユーザは、医用画像４０１の表示に重畳した切り出しウィンドウ４０２をカーソルまたはマウスのドラッグ操作などで移動させ、関心領域が切り出しウィンドウ４０２内に収まる位置で確定する。これにより、関心領域画像が切り出される。切り出しウィンドウ４０２は、関心領域画像の画像マトリクスのサイズは５１２×５１２ピクセルを想定しているため、切り出しウィンドウ４０２は、５１２×５１２ピクセルの固定サイズとする。具体的には、原画像が１０２４×１０２４ピクセルの場合、原画像の４分の１の大きさが５１２×５１２ピクセルに相当する。
【００２２】
次に、医用画像の表示例について図５および図６を参照して説明する。
図５は、画像表示インタフェース画面の一例であり、医用画像５０１の表示に重畳して画像選択ウィンドウ５０２（画像セレクタ）を表示する。画像選択ウィンドウ５０２には、各シリーズについて、シリーズ情報５０３（シリーズコメント）と医用画像のサムネイル５０４とを表示する。シリーズ情報５０３には、画像マトリクス情報５０５の情報を表示する。図５の例では、画像マトリクス情報の数値をラベル表示（バッチ表示）する。なお、画像マトリクス情報に応じてラベルの表示形式（色、文字サイズなど）を変更してもよい。
【００２３】
なお、切り出し処理が行われた場合、原画像のシリーズ情報およびサムネイルの直下に、別シリーズとして生成された関心領域画像のシリーズ情報およびサムネイルを表示する。図５の例では、画像選択ウィンドウ５０２の一番上のシリーズ情報（１０２４×１０２４ピクセル）と対応するサムネイルとを有する医用画像を原画像として切り出し処理を行って関心領域画像を生成したとする。この場合、原画像の直下である２番目にシリーズ情報（５１２×５１２ピクセル）と対応するサムネイルとが表示されることになる。
【００２４】
次に、原画像と関心領域画像とを並列表示させた例を図６に示す。
原画像６０１の表示エリア内に、原画像６０１に付帯された再構成マトリクス情報６０３を表示する。同様に、関心領域画像６０２の表示エリア内に、関心領域画像６０２に付帯された再構成マトリクス情報６０４を表示する。
【００２５】
このように再構成マトリクスの付帯情報を表示することで、異なる画像マトリクスの医用画像であっても、原画像であるか、原画像から切り出された関心領域画像であるかを容易に判別できる。
【００２６】
例えば、図６の例では、画像表示画面を見れば、原画像６０１の画像マトリクス情報が１０２４×１０２４ピクセルであり、関心領域画像６０２の画像マトリクス情報が５１２×５１２ピクセルである。一方、再構成マトリクス情報は共に１０２４×１０２４ピクセルである。これにより、関心領域画像６０２は、元の画像マトリクスサイズが５１２×５１２ピクセルで得られたものではなく、１０２４×１０２４ピクセルの医用画像から切り出された医用画像であるということが一見して理解できる。さらに、再構成マトリクス情報から、切り出された関心領域画像の解像度も予測できる。
【００２７】
なお、原画像のどの領域を関心領域画像として切り出したかを示す画像を別途保存してもよい。切り出した領域に関する画像を保存する例を図７に示す。
図７に示すように、例えば、生成機能１０２が、図４に示す切り出しウィンドウ４０２が重畳された切り出し位置画像７０１をサムネイルとして取得し、関心領域画像に関するサムネイルの先頭に切り出し位置画像７０１を表示してもよい。これにより、原画像と関心領域画像との関係を容易に把握することができる。
【００２８】
このように画像マトリクス情報５０５を表示することにより、各シリーズの医用画像がどの画像マトリクスのサイズであるかを、ユーザが容易に理解できるように提示することができる。
【００２９】
なお、切り出し処理を複数回行う場合、例えば、２０４８×２０４８ピクセルから１０２４×１０２４ピクセルを切り出し、切り出された１０２４×１０２４ピクセルから５１２×５１２ピクセルをさらに切り出す場合もありうる。このような場合は、直前の切り出し元となる画像を原画像として、関心領域画像に対して原画像の再構成マトリクス情報を付帯する。つまり、再構成マトリクス情報としては、大本の医用画像の再構成マトリクス情報が引き継がれることになる。
以上に示した第１の実施形態によれば、原画像から切り出した関心領域画像に対し、原画像に付帯される付帯情報として、少なくとも再構成マトリクス情報を付帯することで、関心領域画像は、ある画像から切り出された画像であることが一見して理解できる。つまり、ＰＡＣＳ等に保存する際に、原画像の画像マトリクス情報では保存できず、切り出し処理が必要となる場合でも、原画像がどのような画像であるかを理解できる。つまり、高解像度の画像から切り出された画像であることが容易に識別でき、読影や保存といった用途に応じて必要な対応を簡便に行うことができる。
【００３０】
（第２の実施形態）
第２の実施形態の概念図について図８を参照して説明する。
図７に示すように、画像を保存する複数のサーバ、例えば、複数のＰＡＣＳサーバ８０１、８０２と、ネットワーク８５０を介して医用画像処理装置１が通信可能に接続されるとする。
【００３１】
断層像の画像マトリクス情報が複数存在する場合が想定されていない場合、ＰＡＣＳサーバに保存できる画像マトリクス情報が異なる場合が想定される。例えば、ＰＡＣＳサーバ８０１では、１０２４×１０２４ピクセルの高解像度の医用画像を保存できる一方、ＰＡＣＳサーバ８０２では、５１２×５１２ピクセルよりも高解像度の１０２４×１０２４ピクセルの画像は保存できないという可能性がある。
【００３２】
第２の実施形態では、ＰＡＣＳサーバが記憶可能な画像マトリクス情報を予め保持しておき、ＰＡＣＳサーバが記憶できない画像マトリクス情報の医用画像を保存しようとしている場合に通知および切り出し処理を行う点が異なる。
【００３３】
第２の実施形態に係る医用画像処理装置について図９のブロック図を参照して説明する。
第２の実施形態に係る医用画像処理装置１は、第１の実施形態に係る医用画像処理装置１の構成に加え、対応テーブル９０１、通知機能９０２および出力機能９０３を含む。
【００３４】
対応テーブル９０１は、転送先であるＰＡＣＳサーバがどの画像マトリクス情報を保存できるかを示すテーブルである。
通知機能９０２は、ユーザから医用画像に関するＰＡＣＳサーバへの保存指示があった場合、対応テーブル９０１を参照して、医用画像が保存可能かどうかを判定し、保存不可である場合、ユーザに切り出し処理を促すメッセージを通知する。
出力機能９０３は、切り出し処理により得られた関心領域画像と付帯情報とをＰＡＣＳサーバに出力する。
【００３５】
次に、対応テーブル９０１の一例について図１０を参照して説明する。
図１０に示す対応テーブル１０００は、サーバＩＤおよび保存可能な画像マトリクスサイズを対応付けて格納する。例えば、対応テーブル１０００を参照すれば、サーバＩＤ「１」のＰＡＣＳサーバは、全ての画像マトリクスサイズを保存可能である一方、サーバＩＤ「３」のＰＡＣＳサーバは、５１２×５１２ピクセル、１０２４×１０２４ピクセルを保存可能であるものの、２０４８×２０４８ピクセルは保存できないことが分かる。
【００３６】
次に、第２の実施形態に係る医用画像処理装置１の動作について図１１のフローチャートを参照して説明する。
【００３７】
ステップＳ１１０１では、ユーザからのＰＡＣＳサーバへの保存指示（転送指示）、また撮像処理を完了したことをトリガとして、ＰＡＣＳサーバへの医用画像の転送処理が起動する。
ステップＳ１１０２では、通知機能９０２が、転送先のＰＡＣＳサーバが５１２×５１２の画像マトリクス情報以外の画像を保存可能かどうかを判定する。当該判定は、テーブルを参照して決定すればよい。保存可能であれば、ステップＳ１１０３に進み、保存可能でなければステップＳ１１０４に進む。
【００３８】
ステップＳ１１０３では、ＰＡＣＳサーバに医用画像（原画像）および付帯情報を転送する。
ステップＳ１１０４では、通知機能９０２が、ユーザに対し切り取り処理を実行し、関心領域画像を生成させるためのメッセージを通知する。なお、生成機能が一定の領域を切り出して関心領域画像を生成するように予め設定してもよい。
【００３９】
ステップＳ１１０５では、出力部が、ＰＡＣＳサーバに関心領域画像および原画像の再構成マトリクス情報を含む付帯情報を転送する。以上で、第２の実施形態に係る医用画像処理装置１の動作を終了する。
【００４０】
なお、ＰＡＣＳサーバにおいてリアルタイムで保存可能な画像マトリクスのサイズを変更できる場合は以下のような処理を行ってもよい。例えば、ＰＡＣＳサーバが保存可能な画像マトリクスのサイズを示す転送制限情報を、所定間隔でまたはユーザからの保存指示があったタイミングで医用画像処理装置１に送信する。通知機能９０２が、転送制限情報に基づいて切り出し処理を行うかどうかを判定してもよい。
【００４１】
なお、関心領域画像のＰＡＣＳサーバへの転送完了をトリガとして、原画像および付帯情報を削除してもよいし、所定期間、記憶回路１０１で記憶した後に削除するようにしてもよい。
【００４２】
以上に示した第２の実施形態によれば、転送先のサーバの保存可能状況を示す対応テーブルを参照して切り出し処理を行うことで、保存可能な画像マトリクスのサイズである医用画像（関心領域画像）を生成でき、適切にサーバに医用画像を保存することができる。すなわち、読影や保存といった用途に応じて必要な対応を簡便に行うことができる。
【００４３】
（第３の実施形態）
上述した第１の実施形態および第２の実施形態に係る医用画像処理装置は、医用画像撮像装置として、例えばＸ線ＣＴ装置に実装されてもよい。
【００４４】
第３の実施形態として、医用画像処理装置がＸ線コンピュータ断層撮影装置（Ｘ線ＣＴ装置）に含まれる場合を例に説明するが、ＭＲなど他のマルチモダリティに含まれる場合も同様に動作可能である。また、再構成処理機能を有しないワークステーションやＰＡＣＳ等にも適用可能である。
【００４５】
第３の実施形態に係る医用画像処理装置を含むＸ線ＣＴ装置について図１２を参照して説明する。
図１２は、本実施形態に係るＸ線コンピュータ断層撮影装置の構成を示す図である。図１２に示すように、本実施形態に係るＸ線コンピュータ断層撮影装置は、架台１２００とコンソール１２５０とを有する。例えば、架台１２００はＣＴ検査室に設置され、コンソール１２５０はＣＴ検査室に隣接する制御室に設置される。架台１２００とコンソール１２５０とは互いに通信可能に接続されている。架台１２００は、被検体ＰをＸ線でＣＴ撮影するための撮影機構を搭載する。コンソール１２５０は、架台１２００を制御するコンピュータである。
【００４６】
図１２に示すように、架台１２００は、開口が形成された略円筒形状の回転フレーム１２１１を有する。回転フレーム１２１１は、回転部とも呼ばれている。図１に示すように、回転フレーム１２１１には、開口を挟んで対向するように配置されたＸ線管１２１３とＸ線検出器１２１５とが取付けられている。回転フレーム１２１１は、アルミ等の金属により円環形状に形成された金属枠である。後述するが、架台１２００は、アルミ等の金属により形成されたメインフレームを有する。メインフレームは、固定部とも呼ばれている。回転フレーム１２１１は、当該メインフレームにより回転可能に支持されている。
【００４７】
Ｘ線管１２１３は、Ｘ線を発生する。Ｘ線管１２１３は、熱電子を発生する陰極と、陰極から飛翔する熱電子を受けてＸ線を発生する陽極とを保持する真空管を有する。Ｘ線管１２１３は、高圧ケーブルを介して高電圧発生器１２１７に接続されている。高電圧発生器１２１７は、例えば、回転フレーム１２１１に取付けられている。高電圧発生器１２１７は、架台制御回路１２２９による制御に従いＸ線管１２１３に印加する高電圧を発生しフィラメント加熱電流を供給する。高電圧は、Ｘ線管１２１３に収容された陽極と陰極との間に印加される。フィラメント加熱電流は、Ｘ線管１２１３の陰極に供給される。Ｘ線管１２１３の陽極と陰極との間に印加される高電圧は管電圧と呼ばれている。また、当該高電圧下においてフィラメント加熱電流により加熱された陰極から発生し陽極に飛翔する熱電子の流れは管電流と呼ばれている。高電圧発生器１２１７は、Ｘ線管１２１３への管電圧と管電流とをＸ線条件に従い調節する。
【００４８】
回転フレーム１２１１は、回転駆動装置１２２１からの動力を受けて中心軸Ｚ回りに一定の角速度で回転する。回転駆動装置１２２１としてダイレクトドライブモータやサーボモータ等の任意のモータが用いられる。回転駆動装置１２２１は、例えば、架台１２００に収容されている。回転駆動装置１２２１は、架台制御回路１２２９からの駆動信号を受けて回転フレーム１２１１を回転させるための動力を発生する。
【００４９】
回転フレーム１２１１の開口にはＦＯＶが設定される。回転フレーム１２１１の開口内には寝台１２２３に支持された天板が挿入される。天板には被検体Ｐが載置される。寝台１２２３は、天板を移動自在に支持する。寝台１２２３には寝台駆動装置１２２５が収容されている。寝台駆動装置１２２５は、架台制御回路１２２９からの駆動信号を受けて天板を前後、昇降及び左右に移動させるための動力を発生する。寝台１２２３は、被検体Ｐの撮影部位がＦＯＶ内に含まれるように天板を位置決めする。
【００５０】
Ｘ線検出器１２１５は、Ｘ線管１２１３から発生されたＸ線を検出する。具体的には、Ｘ線検出器１２１５は、２次元湾曲面上に配列された複数の検出素子を有している。各検出素子は、シンチレータと光電変換素子とを有する。シンチレータは、Ｘ線を光に変換する物質により形成される。シンチレータは、入射Ｘ線を、当該入射Ｘ線の強度に応じた個数の光子に変換する。光電変換素子は、シンチレータから受けた光を増幅して電気信号に変換する回路素子である。光電変換素子としては、例えば、光電子増倍管やフォトダイオード等が用いられる。なお、検出素子は、上記の通りＸ線を光に変換してから検出する間接検出型でも良いし、Ｘ線を直接的に電気信号に変換する直接変換型であっても良い。
【００５１】
Ｘ線検出器１２１５にはデータ収集回路１２１９が接続されている。データ収集回路１２１９は、架台制御回路１２２９からの指示に従い、Ｘ線検出器１２１５により検出されたＸ線の強度に応じた電気信号をＸ線検出器１２１５から読み出し、読み出した電気信号を、ビュー期間に亘るＸ線の線量に応じたデジタル値を有する生データを収集する。データ収集回路１２１９は、再構成画像の解像度に応じて読み出した電気信号を束ねて収集する。データ収集回路１２１９は、例えば、生データを生成可能な回路素子を搭載したＡＳＩＣ（Application Specific Integrated Circuit）により実現される。
【００５２】
架台制御回路１２２９は、コンソール１２５０の演算回路１２０１からの撮影条件に従いＸ線ＣＴ撮影を実行するために、高電圧発生器１２１７、データ収集回路１２１９、回転駆動装置１２２１及び寝台駆動装置１２２５を同期的に制御する。ハードウェア資源として、架台制御回路１２２９は、ＣＰＵ（Central Processing Unit）やＭＰＵ（Micro Processing Unit）等の処理装置（プロセッサ）とＲＯＭ（Read Only Memory）やＲＡＭ（Random Access Memory）等の記憶装置（メモリ）とを有する。また、架台制御回路１２２９は、ＡＳＩＣやフィールド・プログラマブル・ゲート・アレイ（Field Programmable Gate Array：ＦＰＧＡ）、他の複合プログラマブル論理デバイス（Complex Programmable Logic Device：ＣＰＬＤ）、単純プログラマブル論理デバイス（Simple Programmable Logic Device：ＳＰＬＤ）により実現されても良い。
【００５３】
コンソール１２５０は、演算回路１２０１、表示回路１２０８、入力回路１２０９及び記憶回路１２１０を有する。演算回路１２０１、表示回路１２０８、入力回路１２０９及び記憶回路１２１０間のデータ通信は、バス（bus）を介して行われる。
【００５４】
演算回路１２０１は、ハードウェア資源として、ＣＰＵあるいはＭＰＵ、ＧＰＵ（Graphics Processing Unit）等のプロセッサとＲＯＭやＲＡＭ等のメモリとを有する。演算回路１２０１は、各種プログラムの実行により前処理機能１２０２、再構成機能１２０３、画像処理機能１２０４、システム制御機能１２０５、付帯機能１２０６および生成機能１２０７を実現する。
【００５５】
前処理機能１２０２において演算回路１２０１は、架台１２００から伝送された生データに対数変換等の前処理を施す。前処理後の生データは、投影データとも呼ばれる。
【００５６】
再構成機能１２０３において演算回路１２０１は、前処理後の生データに基づいて被検体Ｐに関するＣＴ値の空間分布を表現するＣＴ画像を発生する。画像再構成アルゴリズムとしては、ＦＢＰ（filtered back projection）法や逐次近似再構成法等の既存の画像再構成アルゴリズムが用いられれば良い。
【００５７】
画像処理機能１２０４において演算回路１２０１は、再構成機能１２０３により再構成されたＣＴ画像に種々の画像処理を施す。例えば、演算回路１２０１は、当該ＣＴ画像にボリュームレンダリングや、サーフェスボリュームレンダリング、画像値投影処理、ＭＰＲ（Multi-Planer Reconstruction）処理、ＣＰＲ（Curved MPR）処理等の３次元画像処理を施して表示画像を生成する。
【００５８】
システム制御機能１２０５において演算回路１２０１は、本実施形態に係る医用画像処理装置を統括的に制御する。具体的には、演算回路１２０１は、記憶回路１２１０に記憶されている制御プログラムを読み出してメモリ上に展開し、展開された制御プログラムに従ってＸ線コンピュータ断層撮影装置の各部を制御する。システム制御機能１２０５において演算回路１２０１は、上述の実施形態に係る表示制御機能１０４と同様の動作を行う。
【００５９】
表示回路１２０８および記憶回路１２１０はそれぞれ、上述の実施形態の表示回路１０５および記憶回路１０１と同様の動作を行う。
付帯機能１２０６および生成機能１２０７において演算回路１２０１はそれぞれ、上述の実施形態の付帯機能１０３および生成機能１０２と同様の動作を行う。
【００６０】
なお、前処理機能１２０２、再構成機能１２０３、画像処理機能１２０４、システム制御機能１２０５、付帯機能１２０６および生成機能１２０７は、一の基板の演算回路１２０１により実装されても良いし、複数の基板の演算回路１２０１により分散して実装されても良い。
【００６１】
以上に示した第３の実施形態によれば、Ｘ線ＣＴ装置においても、高解像度の画像から切り出された画像であるかどうかを容易に識別でき、読影や保存といった用途に応じて必要な対応を簡便に行うことができる。
【００６２】
（第４の実施形態）
第４の実施形態では、画像保管装置が上述した医用画像処理装置の構成を含み、画像保管装置が画像の切り出し処理を行う点が、上述の実施形態と異なる。画像保管装置は、画像を保管するサーバである。以下では具体例として、画像保管装置はＰＡＣＳサーバである場合を想定する。
【００６３】
第４の実施形態に係るＰＡＣＳサーバについて、図１３のブロック図を参照して説明する。
第４の実施形態に係るＰＡＣＳサーバ８００は、記憶回路１０１及び処理回路１１０を含む。処理回路１１０は、生成機能１０２及び付帯機能１０３をそれぞれ実行する。
ＰＡＣＳサーバ８００における各回路及び機能の処理は、上述の実施形態と同様であるため説明を省略する。
以上に示した第４の実施形態によれば、ＰＡＣＳサーバが画像の切り出し処理を行うことで、ＰＡＣＳサーバから他のサーバに画像を転送する際に本実施形態に係る切り出し処理を行うなど、柔軟な処理が可能となる。すなわち、必要な対応を簡便に行うことができる。
【００６４】
なお、上述した実施形態における医用画像処理装置は、検像装置に含まれてもよい。検像装置は、読影に適した順序に撮像した医用画像を並び替えるなどの検像処理を行う装置である。検像装置は、検像処理の一部として医用画像処理装置を実行させてもよい。なお、検像装置の一機能として、医用画像処理装置の機能を含み、当該機能を実行してもよい。
【００６５】
加えて、実施形態に係る各機能は、当該処理を実行するプログラムをワークステーション等のコンピュータにインストールし、これらをメモリ上で展開することによっても実現することができる。このとき、コンピュータに当該手法を実行させることのできるプログラムは、磁気ディスク（ハードディスクなど）、光ディスク（ＣＤ−ＲＯＭ、ＤＶＤなど）、半導体メモリなどの記憶媒体に格納して頒布することも可能である。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００６７】
１…医用画像処理装置、１０…バス、１０１…記憶回路、１０２，１２０７…生成機能、１０３，１２０６…付帯機能、１０４…表示制御機能、１０５，１２０８…表示回路、３０１…スタディ情報表示ウィンドウ、３０２…シリーズ情報表示ウィンドウ、３０３…イメージ情報表示ウィンドウ、３０４…画像マトリクス情報、３０５…再構成マトリクス情報、４０１，５０１…医用画像、４０２…切り出しウィンドウ、５０２…画像選択ウィンドウ、５０３…シリーズ情報、５０４…サムネイル、５０５…画像マトリクス情報、６０１…原画像、６０２…関心領域画像、６０３，６０４…再構成マトリクス情報、７０１…切り出し位置画像、８０１，８０２…ＰＡＣＳサーバ、８５０…ネットワーク、９０１，１０００…対応テーブル、９０２…通知機能、９０３…出力機能、１２００…架台、１２０１…演算回路、１２０２…前処理機能、１２０３…画像処理機能、１２０３…再構成機能、１２０４…画像処理機能、１２０５…システム制御機能、１２０９…入力回路、１２１０…記憶回路、１２１１…回転フレーム、１２１３…Ｘ線管、１２１５…Ｘ線検出器、１２１７…高電圧発生器、１２１９…データ収集回路、１２２１…回転駆動装置、１２２３…寝台、１２２５…寝台駆動装置、１２２９…架台制御回路、１２５０…コンソール。
【図１】
2018108362.tif 000003
【図２】
2018108362.tif 000004
【図３】
2018108362.tif 000005
【図４】
2018108362.tif 000006
【図５】
2018108362.tif 000007
【図６】
2018108362.tif 000008
【図７】
2018108362.tif 000009
【図８】
2018108362.tif 000010
【図９】
2018108362.tif 000011
【図１０】
2018108362.tif 000012
【図１１】
2018108362.tif 000013
【図１２】
2018108362.tif 000014
【図１３】
2018108362.tif 000015